【手続補正書】
【提出日】平成30年8月15日(2018.8.15)
【手続補正１】
【補正対象書類名】特許請求の範囲
【補正対象項目名】全文
【補正方法】変更
【補正の内容】
【特許請求の範囲】
【請求項１】
ユーザ機器が、サービングセルの時分割複信（ＴＤＤ）構成およびマルチキャストブロードキャスト単一周波数ネットワーク（ＭＢＳＦＮ）構成を決定することと、
前記ユーザ機器が、前記サービングセル上の前記ＴＤＤ構成および前記ＭＢＳＦＮ構成に関連した１つまたは複数のネイバリングセルのＴＤＤ構成およびＭＢＳＦＮ構成のうちの少なくとも１つを示す２ビットのネイバーセル構成情報を受信することと、
前記ユーザ機器が、前記１つまたは複数のネイバリングセルのうちの少なくとも１つのための発見基準信号（ＤＲＳ）の構成を受信すること、ここにおいて、前記構成は、少なくとも前記ＤＲＳのための開始サブフレームインデックスを備える、と、
前記ユーザ機器が、前記受信された２ビットのネイバーセル構成情報、前記サービングセルの前記ＴＤＤ構成および前記ＭＢＳＦＮ構成、ならびに前記ＤＲＳのための前記開始サブフレームインデックスに基づいて、前記１つまたは複数のネイバリングセルのうちの前記少なくとも１つのための前記ＤＲＳの持続時間の１つまたは複数のサブフレーム中に共通基準信号（ＣＲＳ）が存在するかどうかを決定することと
を備える、ワイヤレス通信の方法。
【請求項２】
前記１つまたは複数のサブフレーム中に前記ＣＲＳが存在すると決定されたとき、前記１つまたは複数のネイバリングセルのうちの前記少なくとも１つを測定することをさらに備える、
請求項１に記載の方法。
【請求項３】
ＤＲＳの前記受信された構成は、前記１つまたは複数のネイバリングセルのうちの前記少なくとも１つのためのチャネル状態情報基準信号（ＣＳＩ−ＲＳ）構成の少なくとも１つをさらに示す、
請求項１に記載の方法。
【請求項４】
前記ＣＲＳが存在するかどうかを前記決定することは、前記ＣＳＩ−ＲＳ構成にさらに基づく、
請求項３に記載の方法。
【請求項５】
前記ＣＳＩ−ＲＳ構成中の少なくとも１つのＣＳＩ−ＲＳは、前記１つまたは複数のネイバリングセルのうちの前記少なくとも１つに関連する、または
前記方法は、ＣＳＩ−ＲＳが、前記１つまたは複数のサブフレームのうちの少なくとも１つ中に存在するように構成されると決定することをさらに備え、
前記決定することは、前記１つまたは複数のサブフレームのうちの前記少なくとも１つ中に前記ＣＲＳが存在すると決定することを備える、または
前記方法は、
前記１つまたは複数のサブフレーム中のスペシャルサブフレームを決定することと、
前記ＣＳＩ−ＲＳが前記スペシャルサブフレーム中に存在するように構成されると決定することと
をさらに備え、
前記ＣＲＳが存在するかどうかを前記決定することは、前記スペシャルサブフレーム中のＣＳＩ−ＲＳを含んでいる最後のシンボルに基づいて、前記スペシャルサブフレーム中に前記ＣＲＳが存在すると決定することを備える、
請求項４に記載の方法。
【請求項６】
ＣＳＩ−ＲＳは、非ゼロ電力ＣＳＩ−ＲＳまたはゼロ電力ＣＳＩ−ＲＳのうちの少なくとも１つである、または
ＣＳＩ−ＲＳは、スペシャルサブフレーム中に存在することを禁止され、
前記構成は、前記ＤＲＳの前記持続時間を備え、
ＣＳＩ−ＲＳは、前記ＤＲＳの前記示された持続時間中の第１のサブフレーム中に存在するように構成され、前記方法は、前記第１のサブフレームの後の１つまたは複数のサブフレームがダウンリンクサブフレームであると決定することをさらに備え、
前記第１のサブフレームは、フレームのサブフレーム６である、
請求項３に記載の方法。
【請求項７】
前記構成は、前記ＤＲＳの前記持続時間を備え、前記方法は、
前記ＤＲＳの前記持続時間中の最後のサブフレームがアップリンクサブフレームであるかどうかを決定することと、
前記ＤＲＳ持続時間中の前記最後のサブフレームがアップリンクサブフレームであると決定されたとき、前記ＤＲＳ構成が誤構成であると決定することと
をさらに備える、請求項１に記載の方法。
【請求項８】
サービングセルの時分割複信（ＴＤＤ）構成およびマルチキャストブロードキャスト単一周波数ネットワーク（ＭＢＳＦＮ）構成を決定するための手段と、
前記サービングセル上の前記ＴＤＤ構成および前記ＭＢＳＦＮ構成に関連した１つまたは複数のネイバリングセルのＴＤＤ構成およびＭＢＳＦＮ構成のうちの少なくとも１つを示す２ビットのネイバーセル構成情報を受信するための手段と、
前記１つまたは複数のネイバリングセルのうちの少なくとも１つのための発見基準信号（ＤＲＳ）の構成を受信するための手段、ここにおいて、前記構成が、少なくとも前記ＤＲＳのための開始サブフレームインデックスを備える、と、
前記受信された２ビットのネイバーセル構成情報、前記サービングセルの前記ＴＤＤ構成および前記ＭＢＳＦＮ構成、ならびに前記ＤＲＳのための前記開始サブフレームインデックスに基づいて、前記１つまたは複数のネイバリングセルのうちの前記少なくとも１つのための前記ＤＲＳの持続時間の１つまたは複数のサブフレーム中に共通基準信号（ＣＲＳ）が存在するかどうかを決定するための手段と
を備える、ワイヤレス通信のためのユーザ機器。
【請求項９】
前記１つまたは複数のサブフレーム中に前記ＣＲＳが存在すると決定されたとき、前記１つまたは複数のネイバリングセルのうちの前記少なくとも１つを測定するための手段をさらに備える、
請求項８に記載のユーザ機器。
【請求項１０】
ＤＲＳの前記受信された構成が、前記１つまたは複数のネイバリングセルのうちの前記少なくとも１つのためのチャネル状態情報基準信号（ＣＳＩ−ＲＳ）構成の少なくとも１つをさらに示す、
請求項８に記載のユーザ機器。
【請求項１１】
前記決定するための手段は、前記ＣＳＩ−ＲＳ構成にさらに基づいて、前記ＣＲＳが存在するかどうかを決定するように構成される、
請求項１０に記載のユーザ機器。
【請求項１２】
前記ＣＳＩ−ＲＳ構成中の少なくとも１つのＣＳＩ−ＲＳは、前記１つまたは複数のネイバリングセルのうちの前記少なくとも１つに関連する、または
前記ユーザ機器は、ＣＳＩ−ＲＳが、前記１つまたは複数のサブフレームのうちの少なくとも１つ中に存在するように構成されると決定するための手段をさらに備え、前記決定するための手段は、前記１つまたは複数のサブフレームのうちの前記少なくとも１つ中に前記ＣＲＳが存在すると決定するように構成される、または
前記ユーザ機器は、
前記１つまたは複数のサブフレーム中のスペシャルサブフレームを決定するための手段と、
前記ＣＳＩ−ＲＳが前記スペシャルサブフレーム中に存在するように構成されると決定するための手段と
をさらに備え、
前記決定するための手段は、前記スペシャルサブフレーム中のＣＳＩ−ＲＳを含んでいる最後のシンボルに基づいて、前記スペシャルサブフレーム中に前記ＣＲＳが存在すると決定するように構成される、
請求項１１に記載のユーザ機器。
【請求項１３】
ＣＳＩ−ＲＳは、非ゼロ電力ＣＳＩ−ＲＳまたはゼロ電力ＣＳＩ−ＲＳのうちの少なくとも１つである、または
ＣＳＩ−ＲＳは、スペシャルサブフレーム中に存在することを禁止され、
前記構成は、前記ＤＲＳの前記持続時間を備え、
ＣＳＩ−ＲＳは、第１のサブフレーム中に存在するように構成され、前記ユーザ機器は、前記第１のサブフレームの後の１つまたは複数のサブフレームがダウンリンクサブフレームであると決定するための手段をさらに備え、
前記第１のサブフレームは、フレームのサブフレーム６である、
請求項１０に記載のユーザ機器。
【請求項１４】
前記構成は、前記ＤＲＳの前記持続時間を備え、前記決定するための手段は、前記ＤＲＳの前記持続時間中の最後のサブフレームがアップリンクサブフレームであるかどうかを決定することと、前記最後のサブフレームがアップリンクフレームであると決定されたとき、前記ＤＲＳ構成が誤構成であると決定することとを行うようにさらに構成される、
請求項８に記載のユーザ機器。
【請求項１５】
コンピュータ上で実行されると、前記請求項１乃至７のいずれか１項に従う方法を実行するための命令を備える、コンピュータプログラム。